(57)【特許請求の範囲】
【請求項１】
インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段を含み、
前記制御手段は、ファクシミリ受信時に検出された温度Ｔおよび予め定められる温度Ｔ１，Ｔ２（Ｔ２＜Ｔ１）が、
Ｔ≦Ｔ２のとき、受信データを記憶手段に記憶させ、
Ｔ＞Ｔ２かつＴ≦Ｔ１のとき、受信データを記憶手段に記憶させ、かつ印刷手段によって印刷させ、
Ｔ＞Ｔ１のとき、受信データを印刷手段によって印刷させるようにして、印刷動作を制御することを特徴とするファクシミリ装置。
【請求項２】
前記ファクシミリ装置は、記憶手段に記憶された受信データの印刷を指定する指定手段を含み、
前記制御手段は、指定手段による指定に基づいて記憶手段に記憶された受信データを印刷手段によって印刷させるようにして、印刷動作を制御することを特徴とする請求項１記載のファクシミリ装置。
【請求項３】
前記記憶手段に記憶された受信データに関連するデータを出力する出力手段を含むことを特徴とする請求項１記載のファクシミリ装置。
【請求項４】
前記ファクシミリ装置は、印刷手段のインク収容部またはその周辺を加熱する加熱手段を含み、
前記制御手段は、Ｔ≦Ｔ１のとき、加熱手段によって予め定められる温度Ｔ３（Ｔ３＞Ｔ１）にまで加熱させた後、受信データを印刷手段によって印刷させるようにして、印刷動作を制御することを特徴とする請求項１記載のファクシミリ装置。
【請求項５】
前記ファクシミリ装置は、
受信データを他のファクシミリ装置に転送する転送手段とを含み、
前記制御手段は、他の印刷制御動作として、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるようにする制御モードで、印刷動作を制御可能であることを特徴とする請求項１記載のファクシミリ装置。
【請求項６】
インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段とを備え、
前記制御手段は、ファクシミリ送信要求時に検出された温度Ｔおよび予め定められる温度Ｔ５が、
Ｔ≦Ｔ５であって受信される画像が単色画像および低解像度画像のいずれかであるとき、またはＴ＞Ｔ５のとき、データの受信を許容して、受信データを印刷手段によって印刷させ、
Ｔ≦Ｔ５であって受信される画像が単色画像および低解像度画像のいずれでもないとき、データの受信を拒否するようにして、印刷動作を制御することを特徴とするファクシミリ装置。
【請求項７】
インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段と、
受信データを他のファクシミリ装置に転送する転送手段と、
前記制御手段が、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるように、印刷動作を制御する印刷制御動作と、請求項１の印刷制御動作と、請求項６の印刷制御動作とのうち、いずれかの印刷制御動作を選択的に実行するよう設定する印刷制御動作設定手段を含むことを特徴とするファクシミリ装置。
【請求項８】
インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段と、
受信データを他のファクシミリ装置に転送する転送手段と、
前記温度Ｔおよび予め定められる温度Ｔ１，Ｔ４，Ｔ５が、Ｔ≦Ｔ１、Ｔ≦Ｔ４またはＴ≦Ｔ５のとき、警告を発生する警告発生手段と、
警告発生時に、
前記制御手段が、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるように、印刷動作を制御する印刷制御動作と、請求項１の印刷制御動作と、請求項６の印刷制御動作とのうち、いずれかの印刷制御動作を選択的に実行するよう設定する印刷制御動作設定手段を含むことを特徴とするファクシミリ装置。
【発明の詳細な説明】
【０００１】
【発明の属する技術分野】
本発明は、インクジェット方式の印刷手段を備えるファクシミリ装置に関する。
【０００２】
【従来の技術】
ファクシミリ装置の印刷装置には、従来からサーマルヘッドを用いて感熱紙にデータを印刷する、いわゆるサーマル方式が採用されてきたが、感熱紙は保存性が低いことから、現在では高い保存性が得られるサーマル転写方式、静電方式およびインクジェット方式が注目されている。カラー画像を取扱う場合、カラー化が容易なインクジェット方式が特に好ましい。
【０００３】
しかしながらインクジェット方式の印刷装置には、低温時にインク粘度が上昇して、印刷品位が低下するという問題がある。特開平８−２６５４７０号公報では、環境温度を検出して、検出された温度が第１の設定温度以下のときに画像情報をメモリ手段に記憶し、第１の設定温度よりも高い第２の設定温度となると印刷するようにして、印刷動作を制御したインクジェット方式の印刷装置を備えるファクシミリ装置が開示されている。
【０００４】
また、特開平９−１５６１２１号公報には、インクジェット記録装置のインク供給タンクを２つに分離し、各タンク内のインク温度を個別的に制御して、吐出ノズルからの不用意なインク漏洩を防止するインクジェット記録方法および装置が開示されている。
【０００５】
さらに、特開平１１−１０８３９号公報には、インクジェット記録装置の記録ヘッドの移動範囲内の温度分布に基づいて高温位置と低温位置とを設定し、記録動作開始時からの経過時間によって記録ヘッドの温度変化を推定し、推定温度が所定のしきい値以下のときには、記録ヘッドの記録動作位置を高温位置とし、しきい値以上のときには、低温位置として、印刷品位を向上するインクジェット記録方法および装置が開示されている。
【０００６】
【発明が解決しようとする課題】
インクジェット方式の印刷装置には、上述したように低温時にインク粘度が上昇して、印刷品位が低下するという問題がある。一方、ファクシミリ装置には昼夜を問わず画像情報が送信され、様々な環境温度で画像が形成される。したがって、いかなる環境温度であっても高い品位で画像情報を印刷することが望まれる。
【０００７】
インクジェット方式の印刷装置をファクシミリ装置に適用した前記特開平８−２６５４７０号公報では、環境温度に応じて受信した画像情報をメモリ手段に記憶したり印刷したりしているが、メモリ容量を超えた画像情報を受信した場合、上述したような不都合が生じる。
【０００８】
本発明の目的は、環境温度に応じて印刷動作を選択的に行って高い品位の画像が印刷できるファクシミリ装置を提供することである。
【０００９】
【課題を解決するための手段】
第１の本発明は、インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段を含み、
前記制御手段は、ファクシミリ受信時に検出された温度Ｔおよび予め定められる温度Ｔ１，Ｔ２（Ｔ２＜Ｔ１）が、
Ｔ≦Ｔ２のとき、受信データを記憶手段に記憶させ、
Ｔ＞Ｔ２かつＴ≦Ｔ１のとき、受信データを記憶手段に記憶させ、かつ印刷手段によって印刷させ、
Ｔ＞Ｔ１のとき、受信データを印刷手段によって印刷させるようにして、印刷動作を制御することを特徴とするファクシミリ装置である。
【００１０】
本発明に従えば、ファクシミリ受信時またはファクシミリ送信要求時において、印刷手段のインク収容部またはその周辺の温度Ｔが検出され、該温度Ｔに基づいて、受信データの印刷動作が制御される。インク収容部において直接またはその周辺において温度Ｔが検出され、該温度Ｔに基づいて印刷動作が制御されるので、収容されたインク粘度に最適な印刷動作を実行することができ、これによって受信データを高い品位で印刷することができる。
【００１２】
具体的には、検出された温度Ｔに基づいて最適な印刷動作が選択的に実行できる。Ｔ≦Ｔ２のとき、すなわち検出温度Ｔが比較的低いときには、受信データを記憶して保存しておく。したがって、適切な時期に受信データを読出して高い品位で印刷することができる。またＴ＞Ｔ１のとき、すなわち検出温度Ｔが比較的高いときには、受信データを直ちに印刷する。この場合には受信データは高い品位で印刷される。さらにＴ＞Ｔ２かつＴ≦Ｔ１のときには、受信データを記憶して保存するとともに印刷する。したがって、印刷品位が悪いときには最適な時期に再度受信データを印刷することができる。このようにして、高品位で受信データを印刷することができる。
【００１３】
また第２の本発明は、前記ファクシミリ装置は、記憶手段に記憶された受信データの印刷を指定する指定手段を含み、
前記制御手段は、指定手段による指定に基づいて記憶手段に記憶された受信データを印刷手段によって印刷させるようにして、印刷動作を制御することを特徴とする。
【００１４】
本発明に従えば、Ｔ≦Ｔ２のとき、すなわち検出温度Ｔが比較的低いときに保存された受信データは、最適な時期に指定手段によって指定して印刷することができる。また、Ｔ＞Ｔ２かつＴ≦Ｔ１のときに記憶され保存された受信データについても同様である。
【００１５】
また第３の本発明は、前記記憶手段に記憶された受信データに関連するデータを出力する出力手段を含むことを特徴とする。
【００１６】
本発明に従えば、記憶手段に記憶され保存された受信データに関連するデータが出力されるので、オペレータはこの関連データを見て、どのようなデータが保存されているかを把握することができ、たとえばこの中から所望の受信データを印刷することができる。
【００１７】
また第４の本発明は、前記ファクシミリ装置は、印刷手段のインク収容部またはその周辺を加熱する加熱手段を含み、
前記制御手段は、Ｔ≦Ｔ１のとき、加熱手段によって予め定められる温度Ｔ３（Ｔ３＞Ｔ１）にまで加熱させた後、受信データを印刷手段によって印刷させるようにして、印刷動作を制御することを特徴とする。
【００１８】
本発明に従えば、上述のようにＴ≦Ｔ１のとき、すなわち検出温度Ｔが比較的低いときには、加熱手段によってインク収容部またはその周辺がＴ１よりも高いＴ３にまで加熱される。そして、受信データが印刷される。加熱することによってインク粘度が低減し、これによって高い品位で受信データを印刷することができる。このようにして受信データを印刷することによって、受信されたデータの記憶手段への滞在が低減し、受信データを確実に保存することが可能となる。また、受信データを直ちに印刷することで、オペレータは受信後すぐに印刷物を見ることができる。
【００１９】
また第５の本発明は、前記ファクシミリ装置は、
受信データを他のファクシミリ装置に転送する転送手段とを含み、
前記制御手段は、他の印刷制御動作として、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるようにする制御モードで、印刷動作を制御可能であることを特徴とする。
【００２０】
本発明に従えば、Ｔ≦Ｔ４のとき、すなわち検出温度Ｔがかなり低いときには、上述のように受信データが記憶され保存された後、他のファクシミリ装置に転送される。このようにして、受信されたデータの記憶手段への滞在を低減し、受信データを確実に保存することができる。たとえばＴ４は前記Ｔ２よりも低い温度である。このような印刷制御動作が可能である。
【００２１】
また第６の本発明は、インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段とを備え、
前記制御手段は、ファクシミリ送信要求時に検出された温度Ｔおよび予め定められる温度Ｔ５が、
Ｔ≦Ｔ５であって受信される画像が単色画像および低解像度画像のいずれかであるとき、またはＴ＞Ｔ５のとき、データの受信を許容して、受信データを印刷手段によって印刷させ、
Ｔ≦Ｔ５であって受信される画像が単色画像および低解像度画像のいずれでもないとき、データの受信を拒否するようにして、印刷動作を制御することを特徴とするファクシミリ装置である。
【００２２】
本発明に従えば、ファクシミリ受信時またはファクシミリ送信要求時において、印刷手段のインク収容部またはその周辺の温度Ｔが検出され、該温度Ｔに基づいて、受信データの印刷動作が制御される。インク収容部において直接またはその周辺において温度Ｔが検出され、該温度Ｔに基づいて印刷動作が制御されるので、収容されたインク粘度に最適な印刷動作を実行することができ、これによって受信データを高い品位で印刷することができる。Ｔ≦Ｔ５のとき、すなわち検出温度Ｔがかなり低いときであって、受信される画像が単色画像および低解像度画像のいずれかであるときには、上述のようにデータの受信が許容される。単色または低解像度の画像は、画像劣化の影響が小さく、このような画像のみを受信し、それ以外の画像の受信は拒否して、高い品位で画像を印刷することができる。またこのようにして、受信データの記憶手段への滞在を低減することができる。たとえば、Ｔ５は前記Ｔ２よりも低い温度である。Ｔ５はＴ４と同じであっても異なっていても構わない。このような印刷制御動作が可能である。
【００２３】
また第７の本発明は、インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段と、
受信データを他のファクシミリ装置に転送する転送手段と、
前記制御手段が、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるように、印刷動作を制御する印刷制御動作と、請求項１の印刷制御動作と、請求項６の印刷制御動作とのうち、いずれかの印刷制御動作を選択的に実行するよう設定する印刷制御動作設定手段を含むことを特徴とするファクシミリ装置である。
【００２４】
本発明に従えば、受信データを記憶し保存して印刷する、記憶し保存する、印刷する、記憶して転送するおよびデータの受信を拒否する、各印刷動作のうちのいずれかを選択的に実行することができる。たとえば、オペレータによって自由に動作を設定することができ、ファクシミリ装置の利便性が向上する。
【００２５】
また第８の本発明は、インクジェット方式の印刷手段を備えるファクシミリ装置において、
印刷手段のインク収容部またはその周辺の温度を検出する温度検出手段と、
ファクシミリ受信時またはファクシミリ送信要求時に前記温度検出手段によって検出された温度Ｔに基づいて、受信データの印刷動作を制御する制御手段と、
受信データを記憶する記憶手段と、
受信データを他のファクシミリ装置に転送する転送手段と、
前記温度Ｔおよび予め定められる温度Ｔ１，Ｔ４，Ｔ５が、Ｔ≦Ｔ１、Ｔ≦Ｔ４またはＴ≦Ｔ５のとき、警告を発生する警告発生手段と、
警告発生時に、
前記制御手段が、
ファクシミリ受信時に検出された温度Ｔおよび予め定められる温度Ｔ４が、
Ｔ≦Ｔ４のとき、受信データを記憶手段に記憶させた後、転送手段によって他のファクシミリ装置に転送させ、
Ｔ４＜Ｔのとき、受信データを印刷手段によって印刷させるように、印刷動作を制御する印刷制御動作と、請求項１の印刷制御動作と、請求項６の印刷制御動作とのうち、いずれかの印刷制御動作を選択的に実行するよう設定する印刷制御動作設定手段を含むことを特徴とするファクシミリ装置である。
【００２６】
本発明に従えば、Ｔ≦Ｔ１、Ｔ≦Ｔ４またはＴ≦Ｔ５のときに警告を発した後受信データを記憶し保存して印刷する、記憶し保存する、印刷する、記憶して転送するおよびデータの受信を拒否する、各印刷動作のうちのいずれかを選択的に実行することができる。たとえば、オペレータによって自由に機能を設定することができ、ファクシミリ装置の利便性が向上する。
【００２７】
【発明の実施の形態】
図１は、本発明の実施の一形態であるファクシミリ装置１のブロック図である。ファクシミリ装置１は、電話回線網２と接続される網制御部３を備える。網制御部３は、電話回線網２の状態を監視するとともに、電話回線網２の接続をモデム４の側および送受話器５の側とで切替える。モデム４は、電話回線網２を介して受信した変調されたアナログ信号をディジタル信号に復調し、また送信すべき画像情報のディジタル信号を電話回線網２に適したアナログ信号に変調する。送受話器５を介して音声信号の送受がなされる。
【００２８】
ファクシミリ装置１が備える制御部６は、記憶部７に記憶された動作プログラムに基づき、受信開始ボタン１６、送信ボタン１７および印刷ボタン１８を備える操作ボタン８およびダイヤルボタン９を用いてオペレータによって入力された指示情報、電話回線網２からの情報、ファクシミリ装置１を構成する各部の状態を示す信号情報などに従って、ファクシミリ装置１の全体の動作を確定する。そして、制御部６は、ファクシミリ装置１を構成する各部に動作の指示を行い、電話回線網２に所定の信号を送出させたり、表示部１０にガイダンスや受信した画像情報などを表示させたりする。
【００２９】
また、制御部６はＭＨ（Modified Huffman）方式、ＭＲ(Modified Read）方式およびカラー画像の場合にはＪＰＥＧ(Joint Photographic Coding Experts
Group）方式によって画像情報を圧縮や伸長する。特にカラー画像の場合、制御部６は色空間座標相互間で画像情報を変換する。画像記憶部１１には、受信した画像情報や画像読取部１２によって読取られた画像情報が記憶され、これによって画像情報の同報機能や転送機能の実現が可能となる。画像読取部１２は、送信すべき原稿から画像情報を読取る。たとえば、ＣＣＤ（電荷結合素子）ラインセンサとレンズとを組合わせた超小型レンズアレイを用いた密着センサアレイなどで実現される。
【００３０】
印刷部１３は、受信した画像情報、読取った画像情報、画像記憶部１１に記憶された画像情報をインクジェット方式によって記録紙に印刷する。温度検出部１４は後述するサーミスタ温度測定ユニット３１を含んで構成され、印刷部１３のインク収容部またはその周辺の温度を検出する。加熱部１５は後述する熱シート３２を含んで構成され、印刷部１３のインク収容部またはその周辺を加熱する。温度検出部１４および加熱部１５の動作は、後述するようにして制御部６によって制御され、また制御部６は検出された温度Ｔに基づいて印刷動作を制御する。
【００３１】
図２は、印刷部１３の構成を示す図である。印刷部１３は、上述したようにインクジェット方式によって各種の画像情報を記録紙に印刷する。なお図２では、カラー印刷のメカニズムについて示しており、送紙メカニズムについては省略している。印刷部１３が備えるキャリッジベース２２には、シアン（Ｃ）、マゼンタ（Ｍ）、イエロー（Ｙ）およびブラック（Ｂ）の各インクタンク２３Ｃ，２３Ｍ，２３Ｙ，２３Ｂが搭載される。なお、単色印刷の場合には、たとえばブラックの単一のインクタンク２３Ｂが搭載される。
【００３２】
キャリッジベース２２はプラテンローラ２４と互いに対向して配置され、これらの間に搬送された記録紙に画像情報が印刷される。キャリッジベース２２のプラテンローラ２４の側の表面からは、該キャリッジベース２２に各インクタンク２３Ｃ，２３Ｍ，２３Ｙ，２３Ｂ毎に搭載された印刷ノズル２５がそれぞれ露出している。印刷ノズル２５から滴として吐出されたインクは、プラテンローラ２４の印刷ノズル２５の側に搬送されて巻き付けられた記録紙に付着し、このようにして画像情報が印刷される。
【００３３】
キャリッジベース２２は、プラテンローラ２４の回転軸に平行に配置されるメインシャフト２６によって支持され、パルスモータ２８の回転をキャリッジ送りベルト２９を介してメインシャフト２６に伝達することによって、キャリッジベース２２は移動可能に構成される。なお、キャリッジベース２２の移動はメインシャフト２６と同様にプラテンローラ２４の回転軸に平行に配置されるガイド板２７によってガイドされる。また、印刷停止時には、印刷ノズル２５のヘッド部が、ヘッドキャップ３０によって保護され、インクの乾燥が防止される。
【００３４】
キャリッジベース２２には、プラテンローラ２４の側でインクタンク２３Ｃ，２３Ｍ，２３Ｙ，２３Ｂに接触して、前記温度検出部１４に関連するサーミスタ温度測定ユニット３１が設けられる。また、キャリッジベース２２の底板上には、前記加熱部１５に関連する熱シート３２が設けられる。
【００３５】
図３は、インク温度とインク粘度との関係を示すグラフである。インクタンク２３Ｃ，２３Ｍ，２３Ｙ，２３Ｂに収容されるインクは、温度が低くなるほど粘度が上昇し、温度が高くなるほど粘度が低下する。通常、インクの凍結温度Ｔ０は、添加物質などによって０（零）℃以下となるが、インク温度が低下して凍結温度Ｔ０付近となると粘度が急激に上昇する。インク粘度が上昇すると、印刷ノズル２５から吐出されるインク粒子の吐出速度、インク量および吐出方向が変化し、印刷された画像の品位が著しく低下する。
【００３６】
本発明に基づくファクシミリ装置１では、ファクシミリ受信時またはファクシミリ送信要求時において、サーミスタ温度測定ユニット３１によってインクタンク２３Ｃ，２３Ｍ，２３Ｙ，２３Ｂまたはその周辺の温度Ｔを測定して検出し、該温度Ｔに基づいて、受信した画像情報の印刷動作を制御する。本形態では、サーミスタ温度測定ユニット３１によって測定された温度Ｔをインク温度の近似値として、該値によって受信した画像情報の印刷動作を制御している。インクタンク２３Ｃ，２３Ｍ，２３Ｙ，２３Ｂにおいて直接またはその周辺において温度Ｔが検出され、該温度Ｔに基づいて印刷動作が制御されるので、収容されたインクの粘度に最適な印刷動作を実行することができ、これによって受信した画像情報を高い品位で印刷することができる。
【００３７】
以下、具体的な印刷動作の制御について説明する。
【００３８】
図４は、制御部６の第１の印刷制御動作を示すフローチャートである。ステップａ１で画像情報をファクシミリ（ＦＡＸ）受信すると、ステップａ２に進んで温度検出部１４のサーミスタ温度測定ユニット３１によって温度Ｔを測定させる。検出された温度Ｔは、温度検出部１４によって制御部６に与えられる。次のステップａ３では、検出された温度Ｔと、予め定められる温度Ｔ１、たとえば１５℃とを比較し、Ｔ≦Ｔ１であるか否かを判断する。Ｔ≦Ｔ１であったときにはステップａ４に進み、Ｔ≦Ｔ１でなかったときにはステップａ９に進む。ステップａ４では、検出された温度Ｔと、予め定められる温度Ｔ２（Ｔ２＜Ｔ１）、たとえば１０℃とを比較し、Ｔ≦Ｔ２であるか否かを判断する。Ｔ≦Ｔ２であったときにはステップａ５に進み、Ｔ≦Ｔ２でなかったときにはステップａ７に進む。
【００３９】
ステップａ５では受信した画像情報を画像記憶部１１に記憶して保存し、続いてステップａ６に進んで印刷ボタン１８の押下による印刷動作実行の指示を待つ。印刷動作実行の指示があるとステップａ８に進む。ステップａ７では受信した画像情報を画像記憶部１１に記憶して保存し、ステップａ８に進む。ステップａ８では、加熱部１５の熱シート３２によって所定の温度Ｔ３（Ｔ３＞Ｔ１）、たとえば１８℃にまで加熱させる。次のステップａ９では、画像情報の印刷動作を実行する。
【００４０】
以上のように第１の印刷動作によれば、Ｔ≦Ｔ２である検出温度Ｔが比較的低いときには、受信した画像情報を画像記憶部１１に記憶して保存しておくので、適切な時期に読出して高い品位で印刷することができる。また、Ｔ＞Ｔ１である検出温度Ｔが比較的高いときには、受信した画像情報を直ちに印刷する。この場合、受信した画像情報は高い品位で印刷される。さらに、Ｔ＞Ｔ２でかつＴ≦Ｔ１であるときには、受信した画像情報を画像記憶部１１に記憶して保存するとともに印刷する。したがって、印刷品位が悪いときには最適な時期に再度印刷することができる。このように、検出された温度Ｔに基づいて最適な印刷動作を選択的に実行するので、受信された画像情報を常に高品位で印刷することができる。
【００４１】
また、Ｔ≦Ｔ２である検出温度Ｔが比較的低いときに画像記憶部１１に記憶され保存された画像情報は、最適な時期に指定手段である印刷ボタン１８によって印刷を指定し、印刷することができる。Ｔ＞Ｔ２でかつＴ≦Ｔ１のときに画像記憶部１１に記憶され保存された画像情報についても同様に、最適な時期に指定手段である印刷ボタン１８によって印刷を指定し、印刷することができる。
【００４２】
また、Ｔ≦Ｔ１である検出温度Ｔが比較的低いときには、加熱手段である加熱部１５の熱シート３２によってインクタンク２３Ｃ，２３Ｍ，２３Ｙ，２３Ｂまたはその周辺がＴ１よりも高いＴ３にまで加熱される。そして、受信された画像情報が印刷される。したがって、インク粘度を低下させて、高い品位で画像情報を印刷することができる。このようにして画像情報を印刷することによって、受信された画像情報の画像記憶部１１への滞在が低減し、受信され画像情報のオーバフローを防止することが可能となる。また、受信された画像情報を直ちに印刷することで、オペレータは受信後すぐに印刷物を見ることができる。なお、加熱手段による加熱を常に行うようにしても構わない。
【００４３】
図５は、制御部６の第２の印刷制御動作を示すフローチャートである。ステップａ１で画像情報をファクシミリ（ＦＡＸ）受信すると、ステップａ２に進んで温度検出部１４のサーミスタ温度測定ユニット３１によって温度Ｔを測定させる。検出された温度Ｔは温度検出部１４によって制御部６に与えられる。次のステップａ１１では検出された温度Ｔと、予め定められる温度Ｔ４、たとえば５℃とを比較し、Ｔ≦Ｔ４であるか否かを判断する。Ｔ≦Ｔ４であったときにはステップａ１２に進み、Ｔ≦Ｔ４でなかったときにはステップａ１３に進む。ステップａ１２では、受信した画像情報を画像記憶部１１に記憶させた後、他のファクシミリ装置に転送させる。ステップａ１３では、受信した画像情報の印刷動作を実行する。
【００４４】
以上のように第２の印刷動作によれば、Ｔ≦Ｔ４である検出温度Ｔがかなり低いときには、受信された画像情報が他のファクシミリ装置に転送される。このようにして、受信された画像情報の画像記憶部１１への滞在を低減し、受信された画像情報のオーバフローを防止することができる。なお、たとえば温度Ｔ４は温度Ｔ２よりも低い温度である。
【００４５】
第２の印刷動作は、インクの凍結が予想される場合など画像の印刷が期待できない場合、画像記憶部１１の空き容量がわずかになった場合、およびもともと画像記憶部１１の記憶容量がわずかしかない場合に有効である。転送先のファクシミリ装置とは、たとえばインクジェット方式以外の方式で印刷を行うファクシミリ装置や環境温度が室温のファクシミリ装置であり、このような転送先のファクシミリは該ファクシミリ装置１に予め登録される。画像情報の転送は、公知の技術を用いて実現することができる。
【００４６】
図６は、制御部６の第３の印刷制御動作を示すフローチャートである。ステップａ２１で画像情報のファクシミリ（ＦＡＸ）送信要求を受けると、ステップａ２２に進んで温度検出部１４のサーミスタ温度測定ユニット３１によって温度Ｔを測定させる。検出された温度Ｔは、温度検出部１４によって制御部６に与えられる。次のステップａ２３では、検出された温度Ｔと、予め定められる温度Ｔ５、たとえば１０℃とを比較し、Ｔ≦Ｔ５であるか否かを判断する。Ｔ≦Ｔ５であったときにはステップａ２４に進み、Ｔ≦Ｔ５でなかったときにはステップａ２６に進む。
【００４７】
ステップａ２４では、受信される画像が単色画像であるか否かを判断する。単色画像であるときにはステップａ２６に進み、単色画像でないときにはステップａ２５に進む。ステップａ２５では、受信される画像が低解像度の画像であるか否かを判断する。低解像度の画像であるときにはステップａ２６に進み、低解像度の画像でないときにはステップａ２８に進む。
【００４８】
ステップａ２６では画像のファクシミリ受信を許容して、次のステップａ２７に進んで受信された画像情報の印刷動作を実行する。ステップａ２８では、画像のファクシミリ受信を拒否する。この場合、ファクシミリ装置としての応答信号を送出せず、電話と同様な公知の応答を行う。
【００４９】
以上のように第３の印刷動作によれば、Ｔ≦Ｔ５である検出温度Ｔがかなり低いときであって、受信される画像が単色画像および低解像度画像のいずれかであるときには、画像の受信が許容される。単色または低解像度の画像は、画像劣化の影響が小さい。このような画像のみを受信し、それ以外の画像の受信は拒否して、高い品位で画像を印刷することができる。またこのようにして、受信された画像情報の画像記憶部１１への滞在を低減してオーバフローを防止することができる。
【００５０】
受信される画像が単色画像であるまたは低解像度の画像であるときのみに受信を許容することは、たとえばファクシミリの前手順（フェーズＢ）でカラー画像の受信能力や精細画像の受信能力を備えていることを相手側のファクシミリ装置に送信しないことで達成することができる。
【００５１】
なお、たとえば温度Ｔ５は温度Ｔ２よりも低い温度である。温度Ｔ５は温度Ｔ４と同じであっても異なっていても構わない。
【００５２】
また、第２の印刷動作において説明した転送先のファクシミリ装置が登録されていない場合や画像記憶部１１を持たないファクシミリ装置の場合、ファクシミリ受信を拒否するようにしても構わない。
【００５３】
また、上述した第１〜第３のうちのいずれかの印刷制御動作を制御部６が選択的に実行するように設定して構成する例も本発明の範囲に属するものである。たとえば、検出温度Ｔおよび画像記憶部１１の空き容量などの情報に基づいて、いずれの印刷制御動作を実行するかを選択するプログラムを作成し、該プログラムに従って制御部６が動作するよう構成することができる。また、オペレータの指示によって実行する印刷制御動作を選択するよう構成することができる。
【００５４】
印刷制御動作の選択のための前記プログラムは、たとえばファクシミリ装置１との対話形式で入力するように構成しても構わない。ここで、操作ボタン８やダイヤルボタン９の組合せによってプログラムの設定モードとし、各印刷制御動作の有効／無効を対話形式で設定し、また各温度Ｔ１〜Ｔ５を設定し、さらに画像記憶部１１の空き容量の基準値を設定する。このとき表示部１０を用いても構わない。
【００５５】
また、Ｔ≦Ｔ１、Ｔ≦Ｔ４またはＴ≦Ｔ５のときに警告を発生し、警告発生時に第１〜第３のうちのいずれかの印刷制御動作を制御部６が選択的に実行するように設定して構成する例も本発明の範囲に属するものである。これによって、受信された画像情報を画像記憶部１１に記憶し保存して印刷する、画像記憶部１１に記憶し保存する、印刷する、記憶して転送するおよび画像情報の受信を拒否する、各印刷動作のうちのいずれかを選択的に実行することができる。たとえば、オペレータによって自由に機能を設定することができるので、ファクシミリ装置１の利便性が向上する。
【００５６】
また、画像記憶部１１に保存された受信された画像情報に関連するデータを出力するように構成することも本発明の範囲に属するものである。該関連データの出力は、たとえば表示部１０または印刷部１３によって行うことができる。出力された関連データを見たオペレータは、どのような画像情報が受信されて画像記憶部１１に保存されているかを把握することができ、たとえばこの中から所望の画像情報を印刷することができる。
【００５７】
【発明の効果】
以上のように本発明によれば、インクジェット方式の印刷装置を備えるファクシミリ装置の、ファクシミリ受信時またはファクシミリ送信要求時において、印刷装置のインク収容部またはその周辺の温度Ｔを検出し、該温度Ｔに基づいて、受信データの印刷動作を制御するようにした。したがって、収容されたインク粘度に最適な印刷動作を実行することができ、これによって受信データを高い品位で印刷することができる。
【００５８】
また、検出温度Ｔが比較的低いとき（Ｔ≦Ｔ２）には受信データを記憶し保存しておき、適切な時期に受信データを読出して高い品位で印刷することができる。また、検出温度Ｔが比較的高いとき（Ｔ＞Ｔ１）には受信データを直ちに高い品位で印刷することができる。さらに、Ｔ＞Ｔ２でかつＴ≦Ｔ１のときには、受信データを記憶し保存するとともに印刷する。この場合、印刷品位が悪いときには、最適な時期に再度受信データを印刷することができる。このようにして、高品位で受信データを印刷することができる。
【００５９】
また本発明によれば、Ｔ≦Ｔ２のとき、またはＴ＞Ｔ２かつＴ≦Ｔ１のときに記憶手段に保存された受信データは、最適な時期に指定手段によって指定して印刷することができる。
【００６０】
また本発明によれば、記憶手段に保存された受信データに関連するデータを出力するようにしたので、オペレータはこの関連データを見て、どのようなデータが受信され保存されているかを把握することができ、たとえばこの中から所望の受信データを印刷するようにすることができる。
【００６１】
また本発明によれば、Ｔ≦Ｔ１のときには、加熱手段によってインク収容部またはその周辺をＴ１よりも高いＴ３にまで加熱した後、受信データを印刷するようにしたので、インク粘度が低減し、高品位で受信データを印刷することができる。このようにして受信データを印刷することによって、受信されたデータの記憶手段への滞在が低減し、受信データのオーバフローを防止することが可能となる。また、受信データを直ちに印刷することで、オペレータは受信後すぐに印刷物を見ることができる。
【００６２】
また本発明によれば、検出温度Ｔがかなり低いとき（Ｔ≦Ｔ４）には受信データを記憶した後、他のファクシミリ装置に転送するようにしたので、受信されたデータの記憶手段への滞在を低減し、受信データのオーバフローを防止することができる。このような印刷制御動作が可能である。
【００６３】
また本発明によれば、検出温度Ｔがかなり低いとき（Ｔ≦Ｔ５）であって、受信される画像が画像劣化の影響が小さい画像、すなわち単色および低解像度のいずれかの画像であるときには、データの受信が許容される。このような画像のみを受信し、それ以外の画像の受信は拒否して、高品位で画像を印刷することができる。またこのようにして受信データの記憶手段への滞在を低減することができる。このような印刷制御動作が可能である。
【００６４】
また本発明によれば、受信データを記憶し保存して印刷する、記憶し保存する、印刷する、記憶して転送するおよびデータの受信を拒否する、各印刷動作のうちのいずれかを選択的に実行することができる。たとえば、オペレータによって自由に機能を設定することができ、ファクシミリ装置の利便性が向上する。
【００６５】
また本発明によれば、Ｔ≦Ｔ１、Ｔ≦Ｔ４またはＴ≦Ｔ５のときに警告を発した後受信データを記憶し保存して印刷する、記憶し保存する、印刷する、記憶して転送するおよびデータの受信を拒否する、各印刷動作のうちのいずれかを選択的に実行することができる。たとえば、オペレータによって自由に機能を設定することができ、ファクシミリ装置の利便性が向上する。
また本発明によれば、ファクシミリ受信時またはファクシミリ送信要求時において、印刷手段のインク収容部またはその周辺の温度Ｔが検出され、該温度Ｔに基づいて、受信データの印刷動作が制御される。インク収容部において直接またはその周辺において温度Ｔが検出され、該温度Ｔに基づいて印刷動作が制御されるので、収容されたインク粘度に最適な印刷動作を実行することができ、これによって受信データを高い品位で印刷することができる。
【図面の簡単な説明】
【図１】本発明の実施の一形態であるファクシミリ装置１のブロック図である。
【図２】印刷部１３の構成を示す図である。
【図３】インク温度とインク粘度との関係を示すグラフである。
【図４】制御部６の第１の印刷制御動作を示すフローチャートである。
【図５】制御部６の第２の印刷制御動作を示すフローチャートである。
【図６】制御部６の第３の印刷制御動作を示すフローチャートである。
【符号の説明】
１  ファクシミリ装置
２  電話回線網
３  網制御部
４  モデム
６  制御部
７  記憶部
８  操作ボタン
１８  印刷ボタン
１０  表示部
１１  画像記憶部
１３  印刷部
１４  温度検出部
１５  加熱部
２２  キャリッジベース
２３Ｃ，２３Ｍ，２３Ｙ，２３Ｂ  インクタンク
２５  印刷ノズル
３１  サーミスタ温度測定ユニット
３２  熱シート
【図１】
0003663081.tif 000002
【図２】
0003663081.tif 000003
【図３】
0003663081.tif 000004
【図４】
0003663081.tif 000005
【図５】
0003663081.tif 000006
【図６】
0003663081.tif 000007